(57)【要約】【課題】捨て紙を収納していても容器のサイズが比較的に大きくならず、蓋部を開いて収納する粒ガムを必要量だけ振り出すときに、収納する捨て紙が同時に排出されてしまうことがない捨て紙を収納するガム容器を提供する。【解決手段】容器本体部（１００）の周壁にヒンジ部（３００）を介して蓋部（２００）が開閉可能に接続する外観が長方体状の容器であって、蓋部（２００）の天板（２１０）下面の所定位置に、長方形状で前後方向に対向させて左右方向に設ける所定間隔の一対の捨て紙挟着リブ（２１１）を垂設する。【選択図】図１
2008230674.tif 000002
【特許請求の範囲】
【請求項１】
容器本体部（１００）の周壁（１１０）にヒンジ部（３００）を介して蓋部（２００）が開閉可能に接続する外観が長方体状の容器であって、前記蓋部（２００）の天板（２１０）下面の所定位置に、長方形状で前後方向に対向させて左右方向に設ける所定間隔の一対の捨て紙挟着リブ（２１１）を垂設したことを特徴とする捨て紙を収納するガム容器。
【請求項２】
前記蓋部（２００）の天板（２１０）下面に垂設する一対の捨て紙挟着リブ（２１１）のどちらか一方のリブ（２１１ａ又は２１１ｂ）の左右いずれかの端部を、他方のリブ（２１１ｂ又は２１１ａ）に対して外側方向へ曲面状に開くように設けたことを特徴とする請求項１記載の捨て紙を収納するガム容器。
【請求項３】
前記蓋部（２００）の天板（２１０）下面に垂設する一対の捨て紙挟着リブ（２１１）を、上端の間隔が一番狭くなるように、両方のリブ（２１１ａ及び２１１ｂ）を内側へ傾斜させて設けたことを特徴とする請求項１記載の捨て紙を収納するガム容器。
【請求項４】
前記蓋部（２００）の天板（２１０）下面に垂設する一対の捨て紙挟着リブ（２１１）のそれぞれのリブ（２１１ａ及び２１１ｂ）の先端部内側面に、突部（２１２ａ及び２１２ｂ）を対向させて設けたことを特徴とする請求項１記載の捨て紙を収納するガム容器。
【請求項５】
前記蓋部（２００）の天板（２１０）下面に垂設する一対の捨て紙挟着リブ（２１１）の一方のリブ（２１１ａ又は２１１ｂ）を、中心部の間隔より左右両側方向が広くなるように、円弧状に設けたことを特徴とする請求項１記載の捨て紙を収納するガム容器。
【発明の詳細な説明】
【技術分野】
【０００１】
本発明は、噛み終わったガムを包んで廃棄するための捨て紙を容器内に収納する粒ガム用のガム容器に関するものである。
【背景技術】
【０００２】
従来、捨て紙を付帯するガム容器としては、例えば、容器本体内を仕切りを設けて、捨て紙供給部、ガム収納部、廃棄ガム溜め部に仕切ったもの（例えば、特許文献１参照）や、ガムを収納する外装ケースに、捨て紙を別パーツで添付したもの（例えば、特許文献２参照）などがあった。
【特許文献１】特開２００３−３４３７１号公報
【特許文献２】特開平０９−２０２３７０号公報
【発明の開示】
【発明が解決しようとする課題】
【０００３】
しかしながら、上述した従来の前者の捨て紙を収納するガム容器は、容器本体を仕切って捨て紙を収納しているため、その分、粒ガムが入る容量が減じてしまう。所定量の粒ガムを収納するようにするためには、容器のサイズを大きくしなければならず、容器の製造費用が高くなった。また、容器内の粒ガムを手で振り出そうとすると、仕切られた場所に収納されていた捨て紙までもが同時に排出されてしまうことなどがあった。また、後者の捨て紙を別パーツで添付するガム容器も、セット加工費など製造費用が高くなった。
【０００４】
本発明は、上述の従来の捨て紙を付帯するガム容器の問題点を解決したものであり、捨て紙を収納していても容器のサイズが比較的に大きくならず、蓋部を開いて収納する粒ガムを必要量だけ振り出すときに、収納する捨て紙が同時に排出されてしまうことがない捨て紙を収納するガム容器を提供するものである。
【課題を解決するための手段】
【０００５】
すなわち、本発明の第１の発明は、容器本体部（１００）の周壁（１１０）にヒンジ部（３００）を介して蓋部（２００）が開閉可能に接続する外観が長方体状の容器であって、前記蓋部（２００）の天板（２１０）下面の所定位置に、長方形状で前後方向に対向させて左右方向に設ける所定間隔の一対の捨て紙挟着リブ（２１１）を垂設したことを特徴とする捨て紙を収納するガム容器である。
【０００６】
次に、本発明の第２の発明は、前記蓋部（２００）の天板（２１０）下面に垂設する一対の捨て紙挟着リブ（２１１）のどちらか一方のリブ（２１１ａ又は２１１ｂ）の左右いずれかの端部を、他方のリブ（２１１ｂ又は２１１ａ）に対して外側方向へ曲面状に開くように設けたことを特徴とする第１の発明に記載の捨て紙を収納するガム容器である。
【０００７】
次に、本発明の第３の発明は、前記蓋部（２００）の天板（２１０）下面に垂設する一対の捨て紙挟着リブ（２１１）を、上端の間隔が一番狭くなるように、両方のリブ（２１１ａ及び２１１ｂ）を内側へ傾斜させて設けたことを特徴とする第１の発明に記載の捨て紙を収納するガム容器である。
【０００８】
次に、本発明の第４の発明は、前記蓋部（２００）の天板（２１０）下面に垂設する一対の捨て紙挟着リブ（２１１）のそれぞれのリブ（２１１ａ及び２１１ｂ）の先端部内側
面に、突部（２１２ａ及び２１２ｂ）を対向させて設けたことを特徴とする第１の発明に記載の捨て紙を収納するガム容器である。
【０００９】
そして、本発明の第５の発明は、前記蓋部（２００）の天板（２１０）下面に垂設する一対の捨て紙挟着リブ（２１１）の一方のリブ（２１１ａ又は２１１ｂ）を、中心部の間隔より左右両側方向が広くなるように、円弧状に設けたことを特徴とする第１の発明に記載の捨て紙を収納するガム容器である。
【発明の効果】
【００１０】
本発明の捨て紙を収納するガム容器は、蓋部の周壁と天板とから形成される空いているスペースに、長方形状で前後方向に対向させて左右方向に設ける所定間隔の一対の捨て紙挟着リブを天板下面の所定位置に垂設して、この一対の捨て紙挟着リブに捨て紙を挟着するものであり、このため、捨て紙を収納していても容器のサイズがそれほど大きくなることがない。
【００１１】
また、本発明の捨て紙を収納するガム容器は、蓋部を開けて、容器本体から収納する粒ガムを必要量だけ振り出しても、捨て紙は、蓋部の天板に設けられている一対の捨て紙挟着リブにしっかりと挟着されているため、振り出されることがない。
【発明を実施するための最良の形態】
【００１２】
次に、本発明の捨て紙を収納するガム容器の実施の形態について、図を用いて詳細に説明する。
【００１３】
図１は、本発明の一実施形態の捨て紙を収納するガム容器の斜視図であり、図２（ａ）乃至（ｃ）は、一対の捨て紙挟着リブの他の形態を示す説明図である
本発明の一実施形態の捨て紙を収納するガム容器（１０）の構造は、図１に示すように、容器本体部（１００）の周壁（１１０）にヒンジ部（３００）を介して蓋部（２００）が開閉可能に接続する外観が長方体状の容器で、蓋部（２００）の天板（２１０）下面の所定位置に、長方形状で前後方向に対向させて左右方向に設ける所定間隔の一対の捨て紙挟着リブ（２１１）を垂設するものである。そして、蓋部の周壁のヒンジ部の対向側の外周面下端部に開閉つまみを突設するものである。容器は、粒ガムを収納するための容器本体と捨て紙を挟着して収納するための蓋部とヒンジ部を一体に、ヒンジ適性をもつポリプロピレンなどの熱可塑性樹脂を用いて射出成形法により作製するものである。
【００１４】
そして、蓋部に設ける一対の捨て紙挟着リブ（２１１）の形態は、図１に示すように、一方のリブ（２１１ａ）の右端部を、他方のリブ（２１１ｂ）に対して外側方向へ曲面状に開くように設けるものである。このようにすると、捨て紙を挟着するときにガイドの役割をして、捨て紙挟着リブに捨て紙が挟着しやすくなる。
【００１５】
また、一対の捨て紙挟着リブ（２１１）の他の形態としては、図２（ａ）に示すように、上端の間隔が一番狭くなるように、両方のリブ（２１１ａ及び２１１ｂ）を内側へ傾斜させて設けるものである。このようにすると、捨て紙が少なくなり、紙の総厚が薄くなっても挟着することができる。
【００１６】
また、一対の捨て紙挟着リブ（２１１）の他の形態としては、図２（ｂ）に示すように、それぞれのリブ（２１１ａ及び２１１ｂ）の先端部内側面に、突部（２１２ａ及び２１２ｂ）を対向させて設けるものである。このようにすると、捨て紙が少なくなり、紙の総厚が薄くなっても挟着することができる。                                          
【００１７】
また、一対の捨て紙挟着リブ（２１１）の他の形態としては、図２（ｃ）に示すように
、一方のリブ（２１１ａ又は２１１ｂ）を、中心部の間隔より左右両側方向が広くなるように、円弧状に設けるものである。このようにすると、捨て紙を挟着リブに挟着するときに、両端側が広くまたガイド的役割をするため、捨て紙を挟着リブに挟着しやすい。
【図面の簡単な説明】
【００１８】
【図１】本発明の一実施形態の捨て紙を収納するガム容器の蓋部を開けたときの一対の捨て紙挟着リブの状態を示す斜視図である。
【図２】（ａ）乃至（ｃ）は、それぞれ、他の形態を示す一対の捨て紙挟着リブの説明図である。
【符号の説明】
【００１９】
１０……ガム容器
１００……容器本体部
１１０，２２０……周壁
１２０……底板
２００……蓋部                                                                  ２１０……天板
２１１……一対の捨て紙挟着リブ
２１２……突部
２２１……開閉つまみ
３００……ヒンジ部
【図１】
2008230674.tif 000003
【図２】
2008230674.tif 000004